(57)【要約】【課題】出力イメージの生成に係るセキュリティを高めることができる画像形成装置を提供する。【解決手段】後処理手段１０は、画像形成手段９により画像が形成された後に、記録紙に対して、タッチパネル付きＬＣＤ８により受け付けられた処理条件に基づく後処理を施す。出力イメージ生成手段１２は、画像データと処理条件とに基づき出力イメージサンプルを生成する。不揮発性メモリ４は、出力イメージ生成手段１２により生成された出力イメージサンプルをタッチパネル付きＬＣＤ８により受け付けられたユーザＩＤと対応付けて印刷設定履歴情報として記憶する。【選択図】図１
2010085492.tif 000002
【特許請求の範囲】
【請求項１】
ユーザからユーザ情報および、後処理に関する処理条件の入力を受け付ける入力手段と、
前記入力手段により受け付けられたユーザ情報に基づきユーザのログイン認証を行う認証手段と、
前記認証手段により前記ログイン認証が正常に行われログインされた場合に、画像形成対象となる画像データに基づき記録紙へ画像を形成する画像形成手段と、
前記画像形成手段により前記画像が形成された後に、前記記録紙に対して、前記入力手段により受け付けられた前記処理条件に基づく後処理を施す後処理手段と、
前記画像データと前記処理条件とに基づき出力イメージを生成する出力イメージ生成手段と、
前記出力イメージ生成手段により生成された出力イメージを前記入力手段により受け付けられたユーザ情報と対応付けて履歴情報として記憶する履歴情報記憶手段と
を備える画像形成装置。
【請求項２】
ユーザからユーザ情報および、編集処理に関する処理条件の入力を受け付ける入力手段と、
前記入力手段により受け付けられたユーザ情報に基づきユーザのログイン認証を行う認証手段と、
前記認証手段により前記ログイン認証が正常に行われログインされた場合に、画像形成対象となる画像データに対して、前記入力手段により受け付けられた前記処理条件に基づく編集処理を施すことにより、編集後画像データを生成する編集処理手段と、
前記編集処理手段により生成された前記編集後画像データに基づき記録紙へ画像を形成する画像形成手段と、
前記編集後画像データに基づき出力イメージを生成する出力イメージ生成手段と、
前記出力イメージ生成手段により生成された出力イメージを前記入力手段により受け付けられたユーザ情報と対応付けて履歴情報として記憶する履歴情報記憶手段と
を備える画像形成装置。
【請求項３】
前記履歴情報記憶手段に記憶されている前記履歴情報から、ログイン中のユーザと同一のユーザ情報が対応付けられている前記出力イメージを抽出する抽出手段と、
前記抽出手段により抽出された前記出力イメージを表示する表示手段と
をさらに備える請求項１乃至請求項２のいずれかに記載の画像形成装置。
【請求項４】
前記入力手段と前記表示手段とは、一体化されており、表示された前記出力イメージがユーザに選択されることにより、選択された前記出力イメージに対応する前記処理条件の入力を受け付ける請求項３に記載の画像形成装置。
【発明の詳細な説明】
【技術分野】
【０００１】
この発明は、デジタル複写機等の画像形成装置に関する。
【背景技術】
【０００２】
近年のデジタル複写機は、高機能化されてきたことに伴い、様々な画像処理機能が搭載されており、そのため、印刷前に出力イメージを予測することが難しくなりつつある。しかしながら、出力イメージを確認する目的で実際に印刷を行なうと用紙が無駄になるので、印刷前に出力イメージを確認できるように、出力イメージを大型の液晶パネルに表示させる機能（プレビュー表示機能）を実現させるための技術が提案されている（特許文献１、２参照）。特許文献２には、中折り、パンチ、ステープリング等の後処理が設定された場合でも、その出力イメージを液晶パネルに表示させる技術が開示されている。
【特許文献１】特開２００３−２４４３７２号公報
【特許文献２】特開２００３−２９６０９０号公報
【発明の開示】
【発明が解決しようとする課題】
【０００３】
一般に、デジタル複写機等の画像形成装置は、複数のユーザに共有される場合が多い。このような場合、特許文献１、２に係る画像形成装置においては、先に使用したユーザに係る出力イメージを、後に使用したユーザが視認できるので、セキュリティが低くなってしまうという問題点があった。
【０００４】
本発明は、以上の問題点を解決するためになされたものであり、出力イメージの生成に係るセキュリティを高めることができる画像形成装置を提供することを目的とする。
【課題を解決するための手段】
【０００５】
本発明に係る画像形成装置は、ユーザからユーザ情報および、後処理に関する処理条件の入力を受け付ける入力手段と、前記入力手段により受け付けられたユーザ情報に基づきユーザのログイン認証を行う認証手段と、前記認証手段により前記ログイン認証が正常に行われログインされた場合に、画像形成対象となる画像データに基づき記録紙へ画像を形成する画像形成手段と、前記画像形成手段により前記画像が形成された後に、前記記録紙に対して、前記入力手段により受け付けられた前記処理条件に基づく後処理を施す後処理手段と、前記画像データと前記処理条件とに基づき出力イメージを生成する出力イメージ生成手段と、前記出力イメージ生成手段により生成された出力イメージを前記入力手段により受け付けられたユーザ情報と対応付けて履歴情報として記憶する履歴情報記憶手段とを備える。
【発明の効果】
【０００６】
本発明によれば、履歴情報をユーザ情報と対応付けて取り扱うことにより、出力イメージの生成に係るセキュリティを高めることができる。
【発明を実施するための最良の形態】
【０００７】
以下、図面を参照して、本発明をデジタル複写機に適用した場合の実施形態について説明する。なお、本発明は、デジタル複写機に限らず、複写機能、スキャナ機能、プリンタ機能、およびファクシミリ機能等を備えるデジタル複合機にも適用可能である。
＜実施形態１＞
図１は、実施形態１にデジタル複写機におけるプレビュー表示機能に関係する部分の構成を示すブロック図である。
【０００８】
デジタル複写機は、ＣＰＵ１、ＲＯＭ２、ＲＡＭ３、書き換え可能な不揮発性メモリ４（本発明に係る履歴情報記憶手段）、ＶＲＡＭ５、画像保存用メモリ６、ＬＣＤコントローラ７、タッチパネル付きＬＣＤ８（本発明に係る入力手段および表示手段）、画像形成手段９、および後処理手段１０等を備えている。
【０００９】
ＣＰＵ１はデジタル複写機全体を制御するとともに、認証手段１１、出力イメージ生成手段１２、編集処理手段１３、および抽出手段１４として機能する。このＣＰＵ１の制御処理の詳細については、以下にデジタル複写機の動作として説明する。
【００１０】
ＲＯＭ２には、ＣＰＵ１のプログラム等が記憶される。ＲＡＭ３は、作業用メモリとして用いられる。不揮発性メモリ４には、後述する印刷設定履歴リスト等が保存される。ＶＲＡＭ５には、タッチパネル付きＬＣＤ８に表示される画像が展開される。ＬＣＤコントローラ７は、タッチパネル付きＬＣＤ８を制御する。画像保存用メモリ６には、図示しない原稿読取部によって読み取られた原稿画像が一時的に保存される。画像形成手段９は、画像保存用メモリ６に保存された原稿画像に基づき記録紙へ画像を形成する。後処理手段１０は、画像形成手段９により画像が形成された記録紙に対して、タッチパネル付ＬＣＤ８により受け付けられた処理条件に基づき、ステイプル等の後処理を行う。
【００１１】
このデジタル複写機は、設定内容に応じた出力イメージの印刷処理を実行する前にプレビュー表示させる機能を備えている。また、このデジタル複写機は、印刷設定を行う際に、ユーザ操作に基づいて、当該デジタル複写機において過去に印刷設定された設定内容すなわち印刷設定履歴情報に対応する出力イメージのリスト（以下、印刷設定履歴リストという）を表示させ、この印刷設定履歴リストを利用してユーザに印刷設定を行わせる機能を備えている。
【００１２】
たとえば、図２に示すように、ユーザＸが、ユーザＩＤ（本発明に係るユーザ情報）をタッチパネル付きＬＣＤ８から入力し、ログイン認証が正常に行われログインし、図２に“Ａ”で示す原稿１０１に対して、印刷設定において編集処理”ページ付け”を設定したとする。この場合、図２に示すように、出力イメージを表すプレビュー画像１０２は、原稿１０１に対してページ番号が付加された画像となる。また、印刷結果１０３は、プレビュー画像１０２と同様となる。このような印刷が行われた場合、印刷設定の内容と、プレビュー画像１０２と、ユーザ名（ユーザＩＤ）とが印刷設定履歴情報として印刷設定履歴リストに保存される。
【００１３】
この後さらにユーザＸが、図３に“Ｂ”で示す原稿２０１に対して、印刷設定において編集処理”ページ付け”および後処理”ステイプル”を設定したとする。この場合、図３に示すように、出力イメージを表すプレビュー画像２０２は、原稿２０１に対してページ番号およびステイプルが付加された画像となる。また、印刷結果２０３は、プレビュー画像２０２と同様となる。このような印刷が行われた場合、印刷設定の内容と、プレビュー画像２０２と、ユーザ名（ユーザＩＤ）とが印刷設定履歴情報として印刷設定履歴リストに保存される。
【００１４】
上記のような複数の印刷設定履歴情報を含む印刷設定履歴リストが保存されている場合において、図４に示すように、“ａ”で示す原稿３０１をユーザＸがセットして、ログインした後、タッチパネル付きＬＣＤ８内に表示された印刷設定履歴リスト表示ボタンを押し下げることにより、印刷設定履歴リストの表示指令が入力されると、印刷設定履歴情報として保存されているプレビュー画像に基づいて生成された出力イメージのリストからなる印刷設定履歴リストがタッチパネル付きＬＣＤ８に表示される。
【００１５】
この印刷設定履歴リストには、全印刷設定履歴情報のうち新しいものから所定数（例えば１０個）の印刷設定履歴情報に基づいて生成された所定数の出力イメージが表示される。また、印刷設定履歴リストとともに、ＯＫボタン５０１と戻るボタン５０２とが表示される。印刷設定履歴リストにおいては、新しい印刷設定履歴情報に対する出力イメージほど、左側に表示されるようになっている。そして、デフォルトでは、最も新しい印刷設定履歴情報に対する出力イメージが、選択された状態となっている。
【００１６】
この例では、最も左側に、図３に係る複写処理時に保存されたプレビュー画像２０２から生成された出力イメージサンプル４０１が表示され、その右隣に図２に係る複写処理時に保存されたプレビュー画像１０２から生成された出力イメージサンプル４０２が表示されている。
【００１７】
プレビュー画像１０２および２０２に対応するユーザＸは、今回ログイン中のユーザＸと同じであるため、プレビュー画像１０２および２０２にそれぞれ対応する出力イメージサンプル４０２および４０１が印刷設定履歴リストとして表示されている。
【００１８】
このような印刷設定履歴リストからユーザが所望の出力イメージサンプルを選択した後、ＯＫボタン５０１を押し下げると、選択されている出力イメージサンプルに対応する印刷設定内容が、今回の印刷設定内容として自動的に設定される。例えば、図４に示すように、“ａ”で示す原稿３０１について、出力イメージサンプル４０１が選択された状態でＯＫボタン５０１を押すことによって印刷設定を行った場合、その印刷結果３０２は、原稿３０１に対して、出力イメージサンプル４０１と同様にページ番号およびステイプルが付加された画像となる。
【００１９】
次に、図２および図３の複写処理について、ユーザＸがログインして図２に係る複写処理を行い、その後、ユーザＸとはユーザＩＤが異なるユーザＹがログインして図３に係る複写処理が行われたものである場合について説明する。この場合、図２に係る印刷設定の内容（ページ付け）と、プレビュー画像１０２と、ユーザＸのユーザ名（ユーザＩＤ）とが印刷設定履歴情報として保存され、図３に係る印刷設定の内容（ページ付けおよびステイプル）と、プレビュー画像２０２と、ユーザＹのユーザ名（ユーザＩＤ）とが印刷設定履歴情報として保存される。
【００２０】
このような印刷設定履歴情報を含む複数の印刷設定履歴情報が印刷設定履歴リストとして保存されている場合において、図５に示すように、“ｂ”で示す原稿３０１'をユーザＸがセットして、ログインした後、印刷設定履歴リストの表示指令が入力されると、印刷設定履歴情報として保存されているプレビュー画像に基づいて生成された出力イメージのリストからなる印刷設定履歴リストがタッチパネル付きＬＣＤ８に表示される。本実施形態に係るデジタル複合機においては、このとき、ログイン中のユーザＸと同一のユーザＩＤに対応付けられている印刷設定履歴情報のみが印刷設定履歴リストに表示されるため、上述した図４の例と比較すると、ユーザＹに対応付けられているプレビュー画像２０２に対応する出力イメージサンプルは抽出されていない。
【００２１】
図６は、複写処理の全体的な手順を示すフローチャートである。
【００２２】
ユーザは、複写処理を行うにあたっては、まず原稿をセットする。そして、以下に説明するような、各種操作を行う。
【００２３】
まず、デジタル複写機は、ユーザを識別するためにログイン処理を行う（ステップＳ１）。このログイン処理においては、ユーザを認証するために、ユーザにユーザＩＤを入力させ、入力されたユーザＩＤが登録されているか否かを判別する。そして、入力されたユーザＩＤが登録されている場合には、ステップＳ２に移行する。入力されたユーザＩＤが登録されていない場合には、その旨をユーザに通知して、再度、ユーザＩＤをユーザに入力させる。ログイン処理が正常に終了すると、タッチパネル付きＬＣＤ８において、通常の印刷設定を行うための印刷設定画面が表示される。
【００２４】
次に、通常の印刷設定操作によって印刷設定内容を変更する操作が行われたか否か（ステップＳ２）、印刷設定履歴リスト表示ボタンが押下げられたか否か（ステップＳ４）、プレビューボタンが押下げられたか否か（ステップＳ６）、スタートボタンが押下げられたか否か（ステップＳ１２）を監視する。なお、印刷設定履歴リスト表示ボタンおよびプレビューボタンは、タッチパネル付きＬＣＤ８において、通常の印刷設定をするための印刷設定画面上に表示されている。
【００２５】
通常の印刷設定操作によって印刷設定内容を変更する操作が行われたときには（ステップＳ２でＹＥＳ）、印刷設定内容を変更する（ステップＳ３）。そして、ステップＳ４に移行する。
【００２６】
印刷設定履歴リスト表示ボタンが押下げられたときには（ステップ４でＹＥＳ）、印刷設定履歴リストに基づく印刷設定処理を行う（ステップＳ５）。この処理の詳細については、後述する。そして、ステップＳ６に移行する。
【００２７】
プレビューボタンが押下げられたときには（ステップＳ６でＹＥＳ）、１頁目の原稿画像が既に読み込まれていることを記憶するためのフラグＦがセットされているか否かを判別する（ステップＳ７）。フラグＦがセットされていない（Ｆ＝０）場合には、フラグＦをセット（Ｆ＝１）した後（ステップＳ８）、１頁目の原稿画像を読み込んで画像保存用メモリ６に保存する（ステップＳ９）。この後、画像保存用メモリ６に保存されている１頁目の原稿画像と現時点での印刷設定内容とに基づいて、１頁目の出力イメージを表すプレビュー画像を生成して、ＲＡＭ３内の所定のエリア（以下、プレビュー画像記憶エリアという）に保存する（ステップＳ１０）。そして、生成したプレビュー画像をタッチパネル付きＬＣＤ８に表示する（ステップＳ１１）。この後、ステップＳ１２に移行する。
【００２８】
上記ステップＳ７において、フラグＦがセットされていると判別した場合には（Ｆ＝１）、１頁目の原稿画像は既に読み取られて画像保存用メモリ６に保存されているので、ステップＳ１０に移行し、画像保存用メモリ６に保存されている１頁目の原稿画像と現時点での印刷設定内容とに基づいて、１頁目の出力イメージを表すプレビュー画像を生成して、ＲＡＭ３内のプレビュー画像記憶エリアに保存する。そして、生成したプレビュー画像をタッチパネル付きＬＣＤ８に表示する（ステップＳ１１）。この後、ステップＳ１２に移行する。
【００２９】
スタートボタンが押下げられたときには（ステップＳ１２でＹＥＳ）、フラグＦがセットされているか否かを判別する（ステップＳ１３）。フラグＦがセットされていない（Ｆ＝０）場合には、全頁分の原稿画像を読み込んで画像保存用メモリ６に保存する（ステップＳ１４）。画像保存用メモリ６に保存した原稿画像のうち１頁目の原稿画像と現時点での印刷設定内容とに基づいて、１頁目の出力イメージを表すプレビュー画像を生成して、ＲＡＭ３内のプレビュー画像記憶エリアに保存する（ステップＳ１５）。そして、ステップＳ１８に移行する。
【００３０】
上記ステップＳ１３において、フラグＦがセットされていると判別した場合には（Ｆ＝１）、フラグＦをリセット（Ｆ＝０）した後（ステップＳ１６）、２頁目以降の原稿が存在する場合には、２頁目以降の原稿画像を順次読み込んで画像保存用メモリ７に保存する（ステップＳ１７）。そして、ステップＳ１８に移行する。
【００３１】
ステップＳ１８では、今回の印刷設定内容と同じ設定内容であってかつ今回のログイン処理で確認されたユーザＩＤと同じユーザＩＤと対応付けて記憶されている印刷設定履歴情報が不揮発性メモリ４に保存されているか否かを判別する。今回の印刷設定内容と同じ設定内容であってユーザＩＤも同一の印刷設定履歴情報が不揮発性メモリ４に保存されていない場合には、今回の印刷設定内容と、ＲＡＭ３内のプレビュー画像と、今回のログイン処理で確認されたユーザＩＤとを、印刷設定履歴情報として不揮発性メモリ４に保存する（ステップＳ１９）。そして、ステップＳ２１に移行する。
【００３２】
上記ステップＳ１８において、今回の印刷設定内容と同じ設定内容であってユーザＩＤが同一の印刷設定履歴情報が不揮発性メモリ４に保存されていると判別した場合には、その印刷設定履歴情報を不揮発性メモリ４から消去した後（ステップＳ２０）、ステップＳ１９に進んで、今回の印刷設定内容と、ＲＡＭ３内のプレビュー画像と、今回のログイン処理で確認されたユーザＩＤとを、印刷設定履歴情報として不揮発性メモリ４に保存する。そして、ステップＳ２１に移行する。
【００３３】
ステップＳ２１では、画像保存用メモリ６に保存されている全頁分の原稿画像に基づいて、印刷処理を行う。
【００３４】
図７は、印刷設定履歴リストに基づく印刷設定処理（図６のステップＳ５の処理）の手順を示している。
【００３５】
まず、印刷設定履歴リストの生成処理を行う（ステップＳ３１）。この処理では、現在のログインユーザと同じユーザＩＤを持つ印刷設定履歴のうち、新しいものから１０個の印刷設定履歴情報に含まれている１０個のプレビュー画像に基づいて、印刷設定内容が異なる１０個の出力イメージからなる印刷設定履歴リストが生成される。この処理の詳細については後述する。
【００３６】
次に、生成した印刷設定履歴リストをタッチパネル付きＬＣＤ８に表示する（ステップＳ３２）。ユーザはタッチパネル付きＬＣＤ８に表示された１０個の出力イメージの中に、所望の設定内容のものが存在する場合には、対応する出力イメージサンプルを選択して、確定ボタン（ＯＫボタン）５０１（図４および図５参照）を押す。なお、デフォルトとして、最新の印刷設定履歴情報に対応する出力イメージサンプルが選択された状態となっている。
【００３７】
ユーザによって、１つの出力イメージサンプルが選択されている状態で、確定ボタン５０１が押し下げられると（ステップＳ３３でＹＥＳ）、今回の印刷設定内容として、選択された出力イメージサンプルに対応する印刷設定内容に設定した後（ステップＳ３５）、図６のステップＳ６に進む。この場合、印刷設定履歴リストが消去され、通常の印刷設定をするための印刷設定画面が表示される。
【００３８】
ユーザによって確定ボタンが押されることなく、戻るボタン５０２（図４および図５参照）が押下げられた場合には（ステップＳ３４でＹＥＳ）、図６のステップＳ６に進む。この場合、印刷設定履歴リストが消去され、通常の印刷設定をするための印刷設定画面が表示される。
【００３９】
図８は、印刷設定履歴リストの生成処理（図７のステップＳ３１の処理）の手順を示している。
【００４０】
まず、変数ｎと変数ｍに１を設定する（ステップＳ４１、ステップＳ４２）。変数ｎは印刷設定履歴リストに表示される印刷設定履歴情報の個数であり、変数ｍは保存された印刷設定履歴情報の（新しいものから数えた）順番である。
【００４１】
新しいものからｍ番目の印刷設定履歴情報を不揮発性メモリ４から読み込む（ステップＳ４３）。そして、当該当該印刷設定履歴情報に含まれているユーザＩＤが今回のログイン処理で認証されたユーザＩＤと同じであるか否かを判別する（ステップＳ４４）。
【００４２】
両ユーザＩＤが同じである場合には、当該印刷設定履歴情報に含まれているプレビュー画像に基づいて出力イメージサンプルを生成する（ステップＳ４５）。そして、ｎを１だけインクリメントした後（ステップＳ４６）、ステップＳ４７に移行する。一方、両ユーザＩＤが同じでない場合には、ステップＳ４５において出力イメージサンプルを生成することなく、ステップＳ４８へ進む。
【００４３】
ステップＳ４７では、ｎ≧１０であるか否かを判別する。ｎ≧１０であれば、図７のステップＳ３２に進む。ｎ＜１０である場合には、ｍを１だけインクリメントした後（ステップＳ４８）、ステップＳ４２に戻る。
【００４４】
このように、本実施の形態に係るデジタル複写機は、ユーザからユーザＩＤおよび、後処理に関する処理条件の入力を受け付けるタッチパネル付きＬＣＤ８と、タッチパネル付きＬＣＤ８により受け付けられたユーザＩＤに基づきユーザのログイン認証を行う認証手段１１と、認証手段１１によりログイン認証が正常に行われログインされた場合に、画像形成対象となる画像データに基づき記録紙へ画像を形成する画像形成手段９と、画像形成手段９により画像が形成された後に、記録紙に対して、タッチパネル付きＬＣＤ８により受け付けられた処理条件に基づく後処理を施す後処理手段１０と、画像データと処理条件とに基づき出力イメージサンプルを生成する出力イメージ生成手段１２と、出力イメージ生成手段１２により生成された出力イメージサンプルをタッチパネル付きＬＣＤ８により受け付けられたユーザＩＤと対応付けて印刷設定履歴情報として記憶する不揮発性メモリ４とを備える。
【００４５】
また、本実施の形態に係るデジタル複写機は、ユーザからユーザＩＤおよび、編集処理に関する処理条件の入力を受け付けるタッチパネル付きＬＣＤ８と、タッチパネル付きＬＣＤ８により受け付けられたユーザＩＤに基づきユーザのログイン認証を行う認証手段１１と、認証手段１１によりログイン認証が正常に行われログインされた場合に、画像形成対象となる画像データに対して、タッチパネル付きＬＣＤ８により受け付けられた処理条件に基づく編集処理を施すことにより、編集後画像データを生成する編集処理手段１３と、編集処理手段１３により生成された編集後画像データに基づき記録紙へ画像を形成する画像形成手段９と、編集後画像データに基づき出力イメージサンプルを生成する出力イメージ生成手段１２と、出力イメージ生成手段１２により生成された出力イメージサンプルをタッチパネル付きＬＣＤ８により受け付けられたユーザＩＤと対応付けて印刷設定履歴情報として記憶する不揮発性メモリ４とを備える。
【００４６】
従って、印刷設定履歴情報をユーザＩＤと対応付けて取り扱うことにより、出力イメージの生成に係るセキュリティを高めることができる。
【００４７】
また、本実施の形態に係るデジタル複写機は、不揮発性メモリ４に記憶されている印刷設定履歴情報から、ログイン中のユーザと同一のユーザＩＤが対応付けられている出力イメージサンプルを抽出する抽出手段１４と、抽出手段１４により抽出された出力イメージサンプルを表示するタッチパネル付きＬＣＤ８と備える。
【００４８】
従って、ログイン中のユーザと同一のユーザＩＤが対応付けられている出力イメージサンプルのみを表示することにより、出力イメージの生成に係るセキュリティを高めつつ、ユーザビリティを高めることができる。
【００４９】
また、本実施の形態に係るデジタル複写機は、入力手段と表示手段とがタッチパネル付きＬＣＤ８として一体化されており、表示された出力イメージサンプルがユーザに選択されることにより、選択された出力イメージサンプルに対応する処理条件の入力を受け付ける。
【００５０】
従って、出力イメージの生成に係るセキュリティを高めつつ、さらにユーザビリティを高めることができる。
【図面の簡単な説明】
【００５１】
【図１】デジタル複写機におけるプレビュー表示機能に関係する部分の構成を示すブロック図である。
【図２】ユーザがログインし、印刷設定において”ページ付け”を設定した場合に生成されるプレビュー画像と、印刷結果を示す模式図である。
【図３】ユーザがログインし、印刷設定において”ページ付け”および”ステイプル”を設定した場合に生成されるプレビュー画像と、印刷結果を示す模式図である。
【図４】ユーザが原稿ａをセットして、ログインした後、印刷設定履歴リスト表示ボタンを押し下げた場合にタッチパネル付きＬＣＤ８に表示される印刷設定履歴リストの例を示す模式図である。
【図５】ユーザが原稿３０１'をセットして、ログインした後、印刷設定履歴リスト表示ボタンを押し下げた場合にタッチパネル付きＬＣＤ８に表示される印刷設定履歴リストの例を示す模式図である。
【図６】複写処理の全体的な手順を示すフローチャートである。
【図７】印刷設定履歴リストに基づく印刷設定処理（図６のステップＳ５の処理）の手順を示すフローチャートである。
【図８】印刷設定履歴リストの生成処理（図７のステップＳ３１の処理）の手順を示すフローチャートである。
【符号の説明】
【００５２】
１  ＣＰＵ、２  ＲＯＭ、３  ＲＡＭ、４  不揮発性メモリ、５  ＶＲＡＭ、６  画像保存用メモリ、７  ＬＣＤコントローラ、８  タッチパネル付きＬＣＤ、９  画像形成手段、１０  後処理手段、１１  認証手段、１２  出力イメージ生成手段、１３  編集処理手段、１４  抽出手段、１０１，２０１，３０１  原稿、１０２，２０２  プレビュー画像、１０３，２０３，３０２  印刷結果、４０１，４０２  出力イメージサンプル、５０１  ＯＫボタン、５０２  戻るボタン。
【図１】
2010085492.tif 000003
【図２】
2010085492.tif 000004
【図３】
2010085492.tif 000005
【図４】
2010085492.tif 000006
【図５】
2010085492.tif 000007
【図６】
2010085492.tif 000008
【図７】
2010085492.tif 000009
【図８】
2010085492.tif 000010